(57)【要約】【課題】箔押し機等のカード後加工装置におけるカードを自動的に供給する装置を提供する。【解決手段】本発明は、カード後加工装置のカード供紙装置部を上下の２段とする。上段は、上端が回転軸に固定されているカード授受機構部とし、このカード授受機構部が所定角度回転し、カード受け渡し機構内部のカードを受け取り後に所定角度逆回転し、下段のカード供給部にカードを自動供給する自動化装置である。【選択図】  図１
2004284727.tif 000002
【特許請求の範囲】
【請求項１】
カード後加工装置におけるカード給紙自動化装置において、内部にベースカードを収容する給紙装置を上下に分割した２段構造とし、上段を上端が回転軸に固定されているカード授受機構部とし、下段をカード後加工装置に固定されているカード供給部としたことを特徴とするカード給紙自動化装置。
【請求項２】
請求項１記載のカード給紙自動化装置において、カード授受機構部の内部のベースカードが下段のカード供給部にすべて供給された場合に、カード授受機構部が上端位置の回転軸を中心としてカード受け渡し機構部方向に所定角度回転してベースカードを受け取りした後、当該所定角度逆方向に回転して最初のカード供給部の鉛直位置に戻り、ベースカードを供給することを特徴とするカード供給自動化装置。
【請求項３】
請求項１記載のカード給紙自動化装置において、カード授受機構部がカード受け渡し機構部よりベースカードを受け取りした後、当該所定角度逆方向に回転して最初のカード供給部の鉛直位置に戻る際に、カード授受機構部内部のベースカードの脱落を防止するカードストッパーをカード授受機構部の下端に装着したことを特徴とするカード供給自動化装置。
【発明の詳細な説明】
【０００１】
【発明の属する技術分野】
本発明は、カード供給自動化装置に関する。
詳しくは、印刷等が完了し、半完成品となったベースカードに対して、仕上げ加工をするためにホログラム箔やサインパネルを転写する際の装置、いわゆるカード後加工装置におけるベースカードを自動供給する装置に関する。
したがって、この発明の属する技術分野はカードの製造分野に関する。
【０００２】
【従来技術】
国際クレジットカード等では、印刷や磁気テープの転写後、平プレス加工し、カード形状への仕上げ抜き加工で完成するものではなく、仕上げ抜き加工後においても、偽変造防止目的としたホログラム箔やサインパネルの転写等の仕上げ加工を必要としている。
これらの加工の場合は、従来、箔押し機のカード供給カセットに所定単位枚数のベースカードを作業員が手で充填して、給紙装置に取り付けし、供給カセットの中のベースカードが無くなる毎にベースカードを充填した供給カセットを作業員が供給装置に取り付けて供給することを行なっている。
【０００３】
【発明が解決しようとする課題】
しかし、人為的に供給カセットにベースカードを充填した上で給紙装置に取り付ける場合は、供給カセット交換時はその間、箔押し機の稼働が停止することになり、稼働率向上の面で好ましくない。
そこで、本願発明者はカード後加工装置を停止させることなく、ベースカードを自動供給する装置を完成するべく鋭意研究して本発明に至ったものである。
【０００４】
【課題を解決するための手段】
上記課題を解決する本発明の要旨は、カード後加工装置におけるカード給紙自動化装置において、内部にベースカードを収容する給紙装置を上下に分割した２段構造とし、上段には上端が回転軸に固定されているカード授受機構部をとし、下段にはカード後加工装置に固定されているカード供給部とする。
【０００５】
カード授受機構部の内部のベースカードが下段のカード供給部にすべて供給された場合には、カード授受機構部は上端位置の回転軸を中心としてカード受け渡し機構部方向に所定角度回転して、ベースカードを受け取ることを特徴とするカード供給自動化装置にある。
また、カード授受機構部がカード受け渡し機構部よりベースカードを受け取り後、所定角度逆回転してカード供給部の鉛直位置に戻りベースカードを供給することを特徴とするカード供給自動化装置にある。
【０００６】
さらに、カード授受機構部がカード受け渡し機構部よりベースカードを受け取り後、所定角度回転してカード供給部の鉛直位置に戻る際にカード授受機構部内部のベースカードが脱落するのを防止するカードストッパーをカード授受機構部の下端に装着したことを特徴とするカード供給自動化装置にある。
【０００７】
【発明の実施の形態】
本発明のカード供給自動化装置について、図面を参照して説明する。
【０００８】
図１は、カード供給自動化装置の全体構造を示す。カード供給自動化装置は、カード供給部１と、カード授受機構部２と、カード受け渡し機構部３で構成されている。なお、図１では、カード給紙部１のベースカード５が搬送される右側部分には、ホログラム箔等の転写箔の供給部や熱圧着部などの箔押し加工機構部が位置するが、図示では省略している。
図２は、カード授受機構部２が所定角度回転し、カード受け渡し機構部部３の中心軸と同一軸位置になった状態を示す正面断面図である。
図３は、カード授受機構部２にベースカード５を充填した状態を示す正面断面図である。
図４は、カードストッパー８の動作を示す一部破断側面図である。
図５は、カード授受機構部２が所定角度回転し、カード供給部１にベースカード５Ｂを供給する状態を示す正面断面図である。
図６は、カード供給カセット９の説明図である。
図７は、カード受け渡し機構部３の全体構造を示す斜視図である。
【０００９】
まず、図１に示すようにカード供給部１の上端部２に装着されている光学センサー６が、カード授受機構部２内のベースカード５が無くなったことを検知する。
なお、カード供給部１にはベースカード５があり、カード供給部１より箔押し加工機構部にベースカード５を供給している。
具体的には、カード供給部１の最下面のベースカード５は、送りローラー４に接している。ベースカード５が送りローラー４によって搬送できるように、ベースカード供給部１の最下面の箔押し加工機構部側は、ベースカード１枚の厚みに相当する切り欠き部７が形成されていて、ベースカード５が１枚づづ順次送り出されるようになっている。
【００１０】
つぎに、図２に示すようにカード授受機構部２が、カード受け渡し機構部３の中心軸と同一軸位置になるように時計回りに所定角度回転する。なお、回転する角度は、４０°±５°が最適である。
【００１１】
図３に示すようにカード受け渡し機構部３のリフター１０、カード授受機構部２がカード受け渡し機構部３からベースカード５を自動授受し、カード受け渡し機構部３内にあるベースカード５を矢印のＡ方向に押し上げ、カード授受機構部２内に自動充填する。
【００１２】
図４に示すようにカード授受機構部２の正面下端には、ベースカード５の側面を押圧する平板状のカードストッパー８が装着されている。カード授受機構部２がカード受け渡し機構部３からベースカード５を自動授受後、カード授受機構部３の所定角度回転中にはこのカードストッパー６がベースカード５を図４においてカード授受機構部２の右側からの左側に押し付けている。
この作用により、図５に示すようにカード授受機構部２が上端位置の回転軸１１を中心に逆時計回りに所定角度回転中でも、ベースカード５の脱落を防止することができる。
【００１３】
なお、カード授受機構部２がカード受け渡し機構部３からベースカード５を自動授受し、カード供給部１に供給するまでの動作時間中でも、カード供給部１のベースカード５が無くなることがないため、箔押し機が停止することなくベースカード５の自動供給が可能である。
【００１４】
カード受け渡し機構部３には、図６に示すカード供給カセット９を装填する。このカード供給カセット９は金属材料（ステンレス製）であって『コ』の字状の断面を有する。『コ』の字状の一方の開放された側面は、リフター１０の移動面に位置するように装着する。
断面が『コ』の字状になっているのは、リフター１０がカード供給カセット９よりベースカード５をカード授受機構部２に押し込む際にカード供給カセット９の内部を通過可能とするための形状である。
さらに、カード供給カセット９の上端Ｕは、リフター１０がベースカード５を送り出すために全面開放された構造にされている。また、下端Ｄはベースカード５の脱落を防止する受け板１２が付いている。
なお、この受け板１２はリフター１０の動作に支障を及ぼさない構造になっている。
カード供給カセット９のベースカード５の収容枚数は自由に設定できるが、通常、約５００枚程度の充填ができるようにする。
【００１５】
カード受け渡し機構部３は、カード供給カセット９を単装（カード供給カセットが１カセット）又は連装（カード供給カセットが２カセット以上）することもできる。図７は２連装の場合を図示している。
なお、図示はしていないが、２連装では、カード供給カセット内にベースカード５が充填されているか否かの検出装置と、ベースカード５が充填されているカード供給カセット７をカード授受機構部２の中心軸に一致させるための左右方向に移動させる機構が必要になる。
上記のように２連装の場合は、作業員のカード授受機構部２へのベースカード充填済みカード供給カセット供給間隔が長くなるため、１人の作業員で多くの箔押し機を担当できるためにより効率的となる。
【００１６】
図７に示すように作業員への安全のため、本カード供給自動化装置では、カード受け渡し機構部３には透明アクリル板製フタ１３を設置し、作業員がこのフタ１１を開けなければカード供給カセット９の交換ができず、フタ開放センサーによりフタ開放時にはカード授受機構部２及びカード受け渡し機構部３が動作しない仕組みとしている。
また、透明アクリル板製フタ１３としているのは、作業員がカード受け渡し機構部３の動作の確認ができるようにするためである。
【００１７】
カード給紙自動化装置の動作を図８に示すフロー図とともに説明する。
（１）カード授受機構部２内のベースカード５の有無を検知する光学センサー  ６が『ベースカードなし』を検知する。（ステップ１０１）
（２）カード受け渡し機構３内のカード供給カセット９内のベースカード５の  有無を検知する。（ステップ１０２）
なお、カード受け渡し機構部３は、カード供給カセット９にベースカード５が無い場合にアラームをならし、作業員はベースカード５が充填されたカード供給カセット９をカード受け渡し機構部３に装填する。（ステップ１０３）
（３）上記（２）の応答が『ＹＥＳ』の場合は、カード授受機構部２は上端位  置の回転軸１１を中心に時計回りに所定角度回転し、カード受け渡し機    構３の中心軸と一致するように移動する。（ステップ１０４）
（４）カード受け渡し機構３の最下面のリフター１０が、カード受け渡し機構  部３内のカード供給カセット９に充填されているベースカード５をカー    ド受け渡し機構部２に自動充填する。（ステップ１０５）
（５）カード授受機構部２にベースカード５の充填が完了した時点で、カード  授受機構部正面下端に装着された平板状のカードストッパー８が動作し    、ベースカード５を図４に図示するようにカード授受機構部２の右側か      ら左側に押し付ける。（ステップ１０６）
（６）カード受け渡し機構部３のリフター１０は、初期位置に戻る。（ステップ１０７）
（７）カード授受機構部２は、上端回転軸１１を中心に反時計回りに所定角度  回転し、初期位置に戻る。（ステップ１０８）
（８）カード授受機構部２は、カードストッパー８をはずし、カード給紙部１  にベースカード５の供給を開始する。（ステップ１０９）
（９）カード供給部２の最下面のベースカード５は、送りローラー４が接して  おり、当該ローラーが回転することにより、ベースカード５を箔押し加    工機構部に搬送する。
【００１８】
【発明の効果】
本発明のカード自動供給装置よれば、カード後加工機を停止させることなく、カードの自動供給が可能となる。本カード自動供給装置は、当該装置を設置していない箔押し機に比べ、１．５倍以上の運転速度を出すことができる。
【図面の簡単な説明】
【図１】カード供給自動化装置の全体構造を示す正面断面図である。
【図２】カード授受機構部２が所定角度回転し、カード受け渡し部３の中心軸と同一になった状態を示す正面断面図である。
【図３】カード授受機構部２にベースカード５が充填した状態を示す正面断面図である。
【図４】カードストッパー８の動作を示す一部破断側面図である。
【図５】カード授受機構部２が所定角度回転し、カード供給部１にベースカード５を供給する状態を示す正面断面図である。
【図６】カード供給カセット９の説明図である。
【図７】カード受け渡し機構部３の全体構造を示す斜視図である。
【図８】カード給紙自動化装置の動作を説明するフロー図である。
【符号の説明】
１      カード供給部
２      カード授受機構部
３      カード受け渡し機構部
４      送りローラー
５      ベースカード
６      光学センサー
７      切り欠き部
８      カードストッパー
９      カード供給カセット
１０      リフター
１１      カード授受機構の上端位置の回転軸
１２      カード供給カセットのベースカード脱落防止受け版
１３      カード受け渡し機構部の透明アクリル板製フタ
【図１】
2004284727.tif 000003
【図２】
2004284727.tif 000004
【図３】
2004284727.tif 000005
【図４】
2004284727.tif 000006
【図５】
2004284727.tif 000007
【図６】
2004284727.tif 000008
【図７】
2004284727.tif 000009
【図８】
2004284727.tif 000010